【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
検査室試験結果を自動検証する方法であって、該方法は、
グラフィカルユーザインタフェース上に表示されるノードを選択するために、ユーザからの入力をコンピュータが受信することと、
該グラフィカルユーザインタフェース上に、自動検証ルールの概略的表現を提供するフローチャートを形成するように該ノードを接続するために、該コンピュータが、該ユーザからの入力を受信することと、
該コンピュータが、検査室試験結果を受信することであって、患者のサンプルは、第１の試験を指定する試験命令に付随し、該自動検証ルールは、該第１の試験と関連する、ことと、
該検査室試験結果が所定の基準を満たすことを確認するために、該検査室試験結果において該自動検証ルールを該コンピュータが実行することと、
該検査室試験結果が該所定の基準を満たすことを該コンピュータが確認した後で、該コンピュータが、該検査室試験結果を外部情報システムに公表することと
を含む、方法。
【請求項２】
前記ノードは、保持ノードを含み、
前記自動検証ルールを実行することは、前記コンピュータが、該保持ノードに関連するルーティンを行うことを含み、該保持ノードに関連する該ルーティンの実行は、該コンピュータに、検査室技術者による手動のレビューのために前記試験結果を保持させる、請求項１に記載の方法。
【請求項３】
前記ノードは、再実行ノードを含み、
前記自動検証ルールは、前記コンピュータが、該再実行ノードに関連するルーティンを行うことを含み、該再実行ノードに関連する該ルーティンの実行は、該コンピュータに、前記第１の試験を再命令させる、請求項１に記載の方法。
【請求項４】
前記ノードは、デルタチェックノードを含み、
前記自動検証ルールを実行することは、前記コンピュータが、該デルタチェックノードに関連するルーティンを行うことを含み、該保持ノードに関連する該ルーティンの実行は、該コンピュータに、前記検査室試験結果を、患者に対する最終的に書運された検査室試験結果と比較させる、請求項１に記載の方法。
【請求項５】
前記ノードは、範囲チェックノードを含み、
前記自動検証ルールを実行することは、前記コンピュータが、該範囲チェックノードに関連するルーティンを行うことを含み、該範囲チェックノードに関連する該ルーティンの実行は、該コンピュータに、前記検査室試験結果の値が前記ユーザによって選択された範囲内、範囲の下、または範囲の上にあるかどうかを決定させる、請求項１に記載の方法。
【請求項６】
前記フローチャート内の前記ノードを接続するために、前記ユーザからの入力を受信することは、前記範囲チェックノードを第２のノードおよび第３のノードに接続するために、前記ユーザからの入力を受信することを含み、該第２のノードおよび該第３のノードは、該フローチャート内のノードの中にあり、
前記方法は、前記検査室によって予め決定されたいくつかの命名された範囲のうちの１つを選択するために、前記ユーザからの入力を、前記コンピュータが受信することをさらに含み、該命名された範囲の各々は、所定の上限と、所定の下限とを有し、
該範囲チェックノードに関連するルーティンの実行は、前記検査室試験結果の値を該選択されたいくつかの範囲と比較することを含み、
該自動検証ルールを実行することは、
該検査室試験結果の値が該選択されたいくつかの範囲内にあるとき、該第２のノードに関連するルーティンを該コンピュータが実行することと、
該検査室試験結果の値が該選択されたいくつかの範囲内にないとき、該第３のノードに関連するルーティンを該コンピュータが実行することと
を含む、請求項５に記載の方法。
【請求項７】
前記フローチャートに挿入するための所与のノードを前記ユーザが選択することに応答して、構成ボックスを前記コンピュータが表示することをさらに含み、該構成ボックスは、該所与のノードを構成することが必要とされるデータを該ユーザが挿入することを促す、請求項１に記載の方法。
【請求項８】
前記外部情報システムは、病院情報システムであり、
前記ノードは、有効ノードを含み、
前記自動検証ルールを実行することは、該有効ノードに関連するルーティンを前記コンピュータが実行することを含み、該有効ノードに関連するルーティンの実行は、該コンピュータに、前記検査室試験結果を該外部情報システムに公表させる、請求項１に記載の方法。
【請求項９】
検査室試験結果を自動検証するコンピュータであって、該コンピュータは、
ソフトウェアプログラムを格納するデータストレージと、
該データストレージに接続されたプロセッサであって、該プロセッサは、該ソフトウェアプログラムによって提供された命令を実行し、該ソフトウェアプログラムの実行は、
グラフィカルユーザインタフェース上にフローチャートを表示することであって、該フローチャートは、自動検証ルールの概略的表現を提供する、ことと、
ノードを該フローチャートに挿入するためにユーザからの入力を受信することと、
該フローチャート内のノードを接続するために該ユーザからの入力を受信することと、
検査室試験結果を受信することであって、該検査室試験結果は、患者のサンプル上で第１の試験を行うことから得られ、該患者のサンプルは、該第１の試験を指定する試験命令に付随し、該自動検証ルールは、該第１の試験と関連する、ことと、
該検査室試験結果が所定の基準を満たすことを確認するために、該検査室試験結果において該自動検証ルールを実行することと、
該検査室試験結果が該所定の基準を満たすことを該コンピュータが確認した後で、該コンピュータが、該検査室試験結果を外部情報システムに公表することと
を該プロセッサに行わせる、コンピュータ。
【請求項１０】
前記プロセッサによる前記命令の実行は、前記試験命令の受信の際に、前記自動検証ルールを前記コンピュータに自動的に実行させる、請求項９に記載のコンピュータ。
【請求項１１】
前記自動検証ルールの実行は、前記フローチャート内の複数のノードの少なくともいくつかに関連するルーティンを実行することを含む、請求項９に記載のコンピュータ。
【請求項１２】
前記フローチャート内の複数のノードは、希釈ノードを含み、
前記自動検証ルールの実行は、該希釈ノードに関連するルーティンを実行することを含み、該希釈ノードに関連するルーティンの実行は、前記プロセッサに、前記患者のサンプルの希釈および該希釈されたサンプルについて前記第１の試験を再実行することを命令させる、請求項１１に記載のコンピュータ。
【請求項１３】
前記フローチャート内の複数のノードは、試験中止ノードを含み、
前記自動検証ルールの実行は、該試験中止ノードに関連するルーティンを実行することを含み、該試験中止ノードに関連するルーティンの実行は、前記プロセッサに、試験が存在する場合に前記サンプルに対する試験を中止させる、請求項１１に記載のコンピュータ。
【請求項１４】
前記フローチャート内の複数のノードは、手動ワークフローノードを含み、
前記自動検証ルールの実行は、該手動ワークフローノードに関連するルーティンを実行することを含み、該手動ワークフローノードに関連するルーティンの実行は、前記プロセッサに、前記検査室技術者によって実行される動作を要求させる、請求項１１に記載のコンピュータ。
【請求項１５】
前記プロセッサによる前記命令の実行は、
ルールビルダウィンドウを表示することであって、該ルールビルダウィンドウは、前記フローチャート内のノードを含む、ことと、
前記ユーザが、メニューから選択されたノードを選択することに応答して、該選択されたノードを、該ルールビルダウィンドウに挿入することと、
該選択されたノードを該ルールビルダウィンドウに存在する別のノードに接続することであって、前記コンピュータは、他のノードに対する所望の接続を行うために、ユーザが、該選択されたノード上でクリックすること、および該選択されたノードをドラッグすることに応答して、該選択されたノードおよび該他のノードを接続する、ことと
を該プロセッサに行わせる、請求項１１に記載のコンピュータ。
【手続補正２】
【補正対象書類名】明細書
【補正対象項目名】００１６
【補正方法】変更
【補正の内容】
【００１６】
前述の特徴および利点、ならびにその他は、以下の発明を実施するための形態および添付の図面を参照することによって、当業者にはより容易に明白となるであろう。
例えば、本発明は以下の項目を提供する。
（項目１）
臨床試験結果を自動検証する方法であって、
ａ）グラフィカルユーザインタフェース上にフローチャートとして自動検証プロセスを表示することであって、該自動検証プロセスは該臨床試験結果を評価し、該臨床試験結果が所定の基準を満たすか否かを判断するように構成される、ことと、
ｂ）該臨床試験結果を受信することと、
ｃ）該臨床試験結果に対して該自動検証プロセスを自動的に実行することと
を備える、方法。
（項目２）
上記フローチャートは、複数のノードと、上記自動検証プロセスにおいて該複数のノード間のワークフローを定義する複数のエッジとを備える、項目１に記載の方法。
（項目３）
上記複数のノードは少なくとも１つの動作ノードを備える、項目２に記載の方法。
（項目４）
上記複数のノードは少なくとも１つの決定ノードをさらに備える、項目３に記載の方法。
（項目５）
上記少なくとも１つの決定ノードのためのパラメータを含むことによって、該少なくとも１つの決定ノードを構成するステップをさらに備える、項目４に記載の方法。
（項目６）
上記少なくとも１つの決定ノードは、複数の出力エッジを伴って、上記グラフィカルユーザインタフェース上に表示される、項目４に記載の方法。
（項目７）
上記少なくとも１つの動作ノードは、出力エッジを伴わずに、上記グラフィカルユーザインタフェース上に表示される、項目３に記載の方法。
（項目８）
上記自動検証プロセスが、上記臨床試験結果が上記所定の基準を満たすと判断する場合に、情報システムに該臨床試験結果へのアクセスを提供するステップをさらに備える、項目１に記載の方法。
（項目９）
上記自動検証プロセスが、上記臨床試験結果が上記所定の基準を満たすと判断しない場合、該臨床試験結果を手動レビューのために保留されるべきであることを示すステップをさらに備える、項目１に記載の方法。
（項目１０）
上記臨床試験結果は、患者試料を分析するように構成される検査室分析器から受信される、項目１に記載の方法。
（項目１１）
検査室試験結果を自動検証する方法であって、
ａ）ノードのメニューから複数のノードを選択することと、
ｂ）該選択された複数のノードを接続し、該選択された複数のノードのうちの少なくとも１つを構成することであって、該構成および接続されたノードは該検査室試験結果のための自動検証プロセスを定義する、ことと、
ｃ）該自動検証プロセスに従って、該検査室試験結果を自動検証することと
を備える、方法。
（項目１２）
上記メニューから上記複数のノードを選択するステップは、１つのノードを選択することによって、該１つのノードがフローチャートとして該複数のノードを表示するウインドウ内に出現することを備える、項目１１に記載の方法。
（項目１３）
上記１つのノードの選択は、該１つのノードから延出する複数の出力エッジとともに、該１つのノードを上記ウインドウに出現させる、項目１２に記載の方法。
（項目１４）
上記複数のノードは、少なくとも１つの動作ノードを備える、項目１１に記載の方法。
（項目１５）
上記少なくとも１つの動作ノードは、追加試験の指示を備える、項目１４に記載の方法。
（項目１６）
上記少なくとも１つの動作ノードは、上記検査室試験結果を有効にすることを備える、項目１４に記載の方法。
（項目１７）
上記複数のノードは、少なくとも１つの決定ノードをさらに備える、項目１４に記載の方法。
（項目１８）
検査室分析器からの臨床試験結果を自動検証するシステムであって、
ａ）自動検証プロセスを定義するフローチャートを表示するように構成されるグラフィカルユーザインタフェースと、
ｂ）該検査室分析器から該臨床試験結果を受信するように構成される入力と、
ｃ）該定義された自動検証プロセスに従って、該臨床試験結果を分析するように構成されるプロセッサと
を備える、システム。
（項目１９）
上記グラフィカルユーザインタフェースは、上記フローチャートを組み立てるために使用されるノードのメニューを提供するようにさらに構成される、項目１８に記載のシステム。
（項目２０）
上記グラフィカルユーザインタフェースは、コンピュータスクリーンを備え、上記ノードのメニューは、該コンピュータスクリーン上にドロップダウンメニューとして表示され、上記フローチャートは、該コンピュータスクリーンのフローチャートウインドウに表示される、項目１９に記載のシステム。
（項目２１）
上記自動検証プロセスが、上記臨床試験結果が有効であると判断する場合、上記プロセッサは、該臨床試験結果を情報システムに利用可能にするようにさらに構成される、項目１８に記載のシステム。
（項目２２）
上記検査室分析器は、血液分析器、免疫化学分析器、または流動血球計算器を備える、項目１８に記載のシステム。
（項目２３）
検査室分析器からの臨床試験結果を自動検証するシステムであって、
ａ）自動検証プロセスを定義するフローチャートを準備する手段と、
ｂ）該検査室分析器から臨床試験結果を受信する手段と、
ｃ）該定義された自動検証プロセスに従って、該臨床試験結果を自動検証する手段と
を備える、システム。